(57)【要約】      （修正有）【課題】スーツケースの下側に付けられたキャスターに付着した路面等の汚れが、持ち込まれた屋内の床面に付くのを防止し、着脱が容易で、畳、カーペット等の柔らかい床面にキャスターの跡を付けないキャスター受台及びキャスター受台を収納し、スーツケースに取付可能なキャスター受台収納ケースを提供する。【解決手段】接床板１１に・キャスター２、フォーク３及びこれらのキャスター２とフォーク３との間からなるキャスター関連部への・着脱可能に取り付けるキャスター関連部取付手段を設けたキャスター受台及びキャスター受台収納部にスーツケース取付部を設けたキャスター受台収納ケースである。【選択図】図１
2014132917.tif 000002
【特許請求の範囲】
【請求項１】
接床板(１１)に、
キャスター（２）、フォーク（３）及び該キャスター（２）と該フォーク（３）との間からなるキャスター関連部への、
着脱可能に取り付けるキャスター関連部取付手段を設けたキャスター受台。
【請求項２】
キャスター関連部がキャスター（２）の円周部（２２）である、請求項１に記載のキャスター受台。
【請求項３】
キャスター関連部がキャスター（２）のタイヤ部（２３）である、請求項１に記載のキャスター受台。
【請求項４】
キャスター関連部がキャスター（２）の両側面部である、請求項１に記載のキャスター受台。
【請求項５】
キャスター関連部がキャスター（２）の車軸（２１）である、請求項１に記載のキャスター受台。
【請求項６】
キャスター関連部がフォーク（３）である、請求項１に記載のキャスター受台。
【請求項７】
キャスター関連部がキャスター（２）とフォーク（３）との間である、請求項１に記載のキャスター受台。
【請求項８】
キャスター受台収納部（５１）にスーツケース取付部（５２）を設けたキャスター受台収納ケース。
【請求項９】
キャスター受台収納部（５１）に名前記入部（５３）を設けた、請求項８に記載のキャスター受台収納ケース。
【発明の詳細な説明】
【技術分野】
【０００１】
本発明は、キャスター付スーツケースのキャスター受台及びキャスター受台を収納するケースに関する。詳しくは、屋外で使用したキャスター付スーツケースのキャスターに付着した土砂等の汚れが、持ち込んだ室内の床面等に付くのを防止するキャスター受台及びこのキャスター受台を収納するケースに関する。
【背景技術】
【０００２】
従来、屋外で使用したキャスター付スーツケースのキャスターに付着した路面等の汚れが、持ち込んだ室内の床面等に付くのを防止するには、汚れたキャスターを雑巾等でふき取らねばならなかった。この際、通常キャスターは、黒いゴム状物で作られていて、それが路面でこすられているので、雑巾が真っ黒に汚れ、洗ってもなかなか取れないという問題があった。ホテル等土足で室内に入るところでは、気にならないが、又ホテル等では廊下を通って部屋に着くまでにキャスターの汚れが落ちているといこともあるが、日本家屋の場合には、廊下、畳部屋等の室内に持ち込むには、キャスターの汚れはふき取らねばならないという問題があった。
【０００３】
この対策として従来、雑巾等で拭き取る外に、キャスター全体を2つの半円状のケースで覆うキャスターカバー
【特許文献１】及び
【特許文献２】やキャスターをフォークごと覆う袋状のキャスターカバー
【特許文献３】及び
【特許文献４】が提案されている。本発明のようなキャスター受台に関する提案はない。
【０００４】
又、これらの問題点を解決するキャスター受台を作っても、キャスター受台の不使用時即ちスーツケースを屋外で使用時にも、キャスター受台を常時携帯する必要があり、且つ使用時(キャスター受台が必要になったとき)には、直ちに取り出さねばならず、そのための収納場所をどうするかという問題点があった。
【０００５】
なお、本明細書では、キャスター付スーツケースは、キャスター付キャリーバッグ、キャスター付トランク等種々のキャスター(車)付の旅行用運搬具を指す。
【先行技術文献】
【特許文献】
【０００６】
【特許文献１】特開２００３‐１２７６０６号「キャスターカバー」公報
【特許文献２】実登３１３９５５８号「キャスター用保護カバー」公報
【特許文献３】実登３１４１６４８号「スーツケースのキヤスターカバー」公報
【特許文献４】実登３１５２２０７号「キャスター付きスーツケースにおけるキャスターカバー」公報
【発明の概要】
【発明が解決しようとする課題】
【０００７】
従来技術の内、「特許文献１」及び「特許文献２」に示された、キャスター全体を２つの半円状のケースで覆うキャスターカバーのものは、はめるのも外すのも手間がかかる。又、着脱も簡単ではない。更に、キャスターとほぼ同じ形状、大きさの円板形なので、畳、カーペット等の柔らかい床面では、キャスターカバーの跡が付くという問題があった。
【０００８】
同じく、「特許文献３」及び「特許文献４」のキャスターをフォークごと覆う袋状のキャスターカバーのものは、上記と同様の問題があり、又袋体は柔らかいので、畳、カーペット等の柔らかい床面では、キャスターの跡が付くという問題があった。
【０００９】
キャスター受台を不要時には簡単に収納できて、必要時にはすぐ取り出せる収納場所・方法をどのようにするかという問題も未解決のままであった。
【００１０】
本発明が解決しようとする課題は、これらの問題点を解決し、キャスター関連部(キャスター及びこれを支えるフォーク並びにこれらのキャスターとフォークとの間をいう)に、接床板を容易に着脱でき、持ち込んだ室内の床面に、キャスターに付着した路面等の汚れが付くのを防止し、畳、カーペット等の柔らかい床面に、キャスターの跡を付けない、キャスター受台を提供することである。又、キャスター受台を収納し、スーツケースに取り付け可能な、キャスター受台用ケースを提供することである。
【課題を解決するための手段】
【００１１】
本発明は、キャスター付スーツケース４のキャスター２に付着した路面等の汚れが、持ち込んだ室内の床面に付くのを防止することを特徴とする。
【００１２】
請求項１に係るキャスター受台は、接床板１１に・キャスター２、ホルダー３及び該キャスター２と該フォーク３との間からなるキャスター関連部への・着脱可能に取り付けるキャスター関連部取付手段を設けたものである。
【００１３】
キャスター受台は、屋外で使用したキャスター付スーツケースのキャスターに付着した土砂等の汚れが、持ち込んだ室内の床面等に付くのを防止するものである。
【００１４】
接床板１１は、板状物又は箱状物で、スーツケース４の下部に付けられたキャスター２とこのスーツケース４が持ち込まれた室内の床面との間に介在するものである。キャスター２に付着した路面等の汚れが、持ち込んだ室内の床面に付くのを防止し、床面が畳、カーペット等の柔らかいものの場合に、キャスター２の跡が付くのを防止するものである。接床板１１は、硬くて面積があるので、床面が畳、カーペット等の柔らかいものの場合でも、キャスター２の跡が付くのを防止する働きをする。
【００１５】
キャスター２は、スーツケース４を楽に移動できるように、スーツケース４の下部に取り付けられた車である。フォーク３は、キャスター２を回動可能に保持し、スーツケース４の下部に、自体も回動可能に取り付けるものである。フォーク３の先端部にキャスター２を取り付ける。
【００１６】
保持するとは、挟み付け、圧迫、摩擦、車軸等により、その位置を維持することである。
【００１７】
キャスター関連部は、キャスター２とフォーク３とが関連したところを表す部で、キャスター２、フォーク３及びこれらのキャスター２とフォーク３との間を指す。「キャスター関連部への」とは、「キャスター関連部を対象とした」ということである。
【００１８】
キャスター関連部取付手段は、上記キャスター関連部に取り付ける手段で、文字通り、くっつける、引っ付ける、接続する手段である。後記実施例で具体的に示すが、キャスター２の円周部２２を前後から挟むもの、キャスター２の下部の両側面(平面部)を挟むもの、キャスター２のタイヤ部２３をつかむもの、キャスター２の車軸２１をつかむもの、フォーク３をつかむもの、キャスター２とフォーク３との間に挿入するものがある。フォーク３をつかむものの中には、筒状、袋状をした柔軟性のあるシート状物も入る。
【００１９】
着脱可能とは、装着したり、取り外したりできることであり、取り付けると固定してしまい、外れなくなるという取り付け方ではないということである。
【００２０】
請求項２に係るキャスター受台は、キャスター関連部がキャスター２の円周部２２である、請求項１に記載のものである。
【００２１】
キャスター２には、取り付ける箇所がいろいろあるが、その内の円周部２２に取り付けるものである。円周部２２の断面形状が平らか凸状かに合わせ、保持片１２の形状を形成する。保持片１２の先端部には、ガイド１２１を設ける。
【００２２】
請求項３に係るキャスター受台は、キャスター関連部がキャスター２のタイヤ部２３である、請求項１に記載のものである。
【００２３】
キャスター２のタイヤ部２３とは、円板状のキャスター２の両側面の中央部が窪み、あたかも自動車のタイヤのように、周辺部が太くなったものがある。この太くなった部分をタイヤ部２３とする。タイヤ部２３を下方からつかむものである。
【００２４】
請求項４に係るキャスター受台は、キャスター関連部がキャスター２の両側面部である、請求項１に記載のものである。
【００２５】
キャスター２の両側面部に取り付けるには、両側面部の下部を水平方向に挟むもの、同じく下部を下方から垂直方向に挟むもの、前方又は後方から車軸２１を挟んで水平方向に挟むものがある。  
【００２６】
請求項５に係るキャスター受台は、キャスター関連部がキャスター２の車軸２１である、請求項１に記載のものである。
【００２７】
キャスター２の車軸２１をつかむため、保持片１２の先端部分には、ガイド部１２１と押え部１２３を設ける。ガイド部１２１は、車軸２１が入り易くするもので、車軸２１が当ると少し広がり、押え部１２３部の中へ誘導する。
【００２８】
外すときは、接床板１１を押さえてスーツケース４を上げると、車軸２１が上がり、押え部１２３の上部が少し広がって、車軸２１は抜ける。
【００２９】
請求項６に係るキャスター受台は、キャスター関連部がフォーク３である、請求項１に記載のものである。
【００３０】
フォーク３は、キャスター２を回動自在に保持し、且つフォーク３自体も回動自在にスーツケース４の下部に取り付けられているものである。フォーク３は２本からなり、断面形状が細長いコの字形で、側面形状は、通常湾曲しているが、いろいろな形状のものが市販されている。コの字形の中央の狭い部分で、スーツケース４の下部と回動自在に結合している。
【００３１】
フォーク３を外側からつかむものは、保持片１２が剛体のものと、筒状や袋状をした布帛、ビニールレザー、合成皮革、皮革のような柔軟性のあるシート状のものとがある。見方を変えれば、後者の筒状や袋状をした柔軟性のあるシート状のものは、袋体の底部に接床板１１を付けたものと見ることもできる。接床板１１と柔軟性のあるシート状のものとの結合方法には、接床板１１の側面部に筒状の柔軟性のあるシート状のものを貼り付けるものと、柔軟性のあるシート状のものを袋体にして、底部に接床板１１を付けたものとがある。底部に接床板１１を付けるものは、袋体の内側に接床板１１を付けるものと袋体の外側に接床板１１を付けるものとがある。
【００３２】
保持片１２が剛体のものは、弾性を有する１対の保持片１２がフォーク３の外側を挟むものである。又は弾性を有する２対の保持片１２がフォーク３を前後左右から挟むものでもよい。これは見方を変えれば、平面形状が長方形や小判形(陸上競技のトラックの形)の筒状のものの四隅に切込み(スリット)を入れたものである。
【００３３】
フォーク３を内側からつかむものは、弾性を有する１対の保持片１２をフォーク３の内側に挿入して、外側に押し広げる様にして保持するものである。
【００３４】
２本あるフォーク３の１本(片側)を１対の保持片１２が挟み付けて保持するものでもよい。
【００３５】
請求項７に係るキャスター受台は、キャスター関連部がキャスター２とホルダー３との間である、請求項１に記載のものである。
【００３６】
キャスター２とフォーク３との間には、若干の隙間があるので、この隙間を利用して、キャスター受台１を取り付ける。取り付け方には、この隙間に保持片１２を下方から垂直方向に挿入するものと前方又は後方から水平方向に挿入するものとがある。
【００３７】
保持片１２は、１対の中央部が少し広がった弾性材からなり、先端は狭くなっている。保持片１２が保持される力は、保持片１２と上記隙間との圧迫による摩擦による。
【００３８】
請求項８に係るキャスター受台収納ケースは、キャスター受台収納部５１にスーツケース取付部５２を設けたものである。
【００３９】
キャスター受台収納ケースは、キャスター受台を収納するケース(入れ物)である。キャスター受台収納部５１は、キャスター受台を収納するものである。スーツケース取付部５２は、キャスター受台収納部５１をスーツケース４に取り付けるもので、通常２本のベルトよりなり、ベルトの先に取付具を付けている。簡単なものでは、２本の紐でもよい。スーツケース４の適宜なところ例えば、取手、スーツケース４を引くハンドル等に取り付けるものである。
【００４０】
請求項９に係るキャスター受台収納ケースは、キャスター受台収納部５１に名前記入部５３を設けた、請求項８に記載のものである。
【００４１】
請求項９に係るキャスター受台収納ケースは、キャスター受台収納部５１に名前記入部５３を設け、スーツケース取付部５２を設けたものである。キャスター受台を収納するキャスター受台収納部５１に、名前を記入する名前記入部５３を設けたものである。
なお、名前記入部５３の上面に、めくり可能なシート状物であるカバー５４を設けてもよい。カバー５４があると、通常外部からは名前が見えないので、他の人に名前を見られることなく、必要な時にはめくって、名前を確認することができる。
【発明の効果】
【００４２】
請求項１の発明は、キャスター受台の着脱が容易で、キャスター２に付着した路面等の汚れが室内の床面に付くのを防止し、柔らかい床面にキャス−２の跡を付けないという効果がある。
【００４３】
請求項2の発明は、キャスター受台の着脱が容易で、キャスター２に付着した路面等の汚れが室内の床面に付くのを防止し、柔らかい床面にキャス−２の跡を付けないという効果がある。
【００４４】
請求項3の発明は、キャスター受台の着脱が容易で、キャスター２に付着した路面等の汚れが室内の床面に付くのを防止し、柔らかい床面にキャス−２の跡を付けないという効果がある。
【００４５】
請求項４の発明は、キャスター受台の着脱が容易で、キャスター２に付着した路面等の汚れが室内の床面に付くのを防止し、柔らかい床面にキャス−２の跡を付けないという効果がある。
【００４６】
請求項５の発明は、キャスター受台の着脱が容易で、キャスター２に付着した路面等の汚れが室内の床面に付くのを防止し、柔らかい床面にキャス−２の跡を付けないという効果がある。
【００４７】
請求項６の発明は、キャスター受台の着脱が容易で、キャスター２に付着した路面等の汚れが室内の床面に付くのを防止し、柔らかい床面にキャスター２の跡を付けないという効果がある。
【００４８】
請求項７の発明は、キャスター受台の着脱が容易で、キャスター２に付着した路面等の汚れが室内の床面に付くのを防止し、柔らかい床面にキャス−２の跡を付けないという効果がある。
【００４９】
請求項８の発明は、キャスター受台１が不要なとき、即ち、スーツケース４を屋外で使用するときに  キャスター受台１の収納場所を探したり、記憶したりしなくても、常にスーツケース４に収納場所が付いており、又、キャスター受台１が必要なとき、即ち、スーツケース４を屋内に持ち込みたいときに、収納場所を探したり、思い出したりしなくても、常にキャスター受台１がスーツケース４にキャスター受台ケースが付いているという効果がある。
【００５０】
請求項９の発明は、請求項８の発明の効果の外に、キャスター受台収納部５１に名前記入部５３が付いていて、キャスター受台収納ケースが名札を兼用したものなので、名札が不要であり、便利であり、スーツケース４にぶら下げるものが減るという効果がある。
【図面の簡単な説明】
【００５１】
【図１】実施例１のキャスター受台を示す側面図及び平面図である。
【図２】実施例２のキャスター受台を示す斜視図、側面図、正面図及び平面図である。
【図３】実施例３のキャスター受台を示す側面図及び断面図である。
【図４】実施例４のキャスター受台を示す側面図である。
【図５】実施例５のキャスター受台を示す正面図、斜視図及び側面図である。
【図６】実施例６のキャスター受台を示す斜視図、正面図及び側面図である。
【図７】実施例７のキャスター受台を示す正面図である。
【図８】実施例８のキャスター受台を示す正面図及び側面図である。
【図９】実施例９のキャスター受台を示す斜視及び正面図である。
【図１０】実施例１０のキャスター受台収納ケースを示す斜視図及び正面図である。
【図１１】実施例１１のキャスター受台収納ケースを示す斜視図である。
【発明を実施するための形態】
【００５２】
キャスター付スーツケース４のキャスター２に付着した路面等の汚れが、スーツケース４を持ち込んだ室内の床面に付くのを防止するものを提供するという目的を、板状又は箱状の接床板１１に、キャスター関連部取付手段を設けたキャスター受台１で実現した。以下、発明を実施するための最良の形態を実施例により説明する。取付手段の対象が、実施例１、実施例２、実施例３及び実施例４はキャスター２であるもの、実施例５、実施例６及び実施例７はフォーク３であるもの、実施例８はキャスター２とホルダー３との間(隙間)であるもの、実施例９はフォーク３であるものである。実施例１０と実施例１１とは、キャスター受台の収納ケースである。
【実施例１】
【００５３】
実施例１のキャスター受台１を図1に基づいて説明する。図１の（Ａ）に示すものは、スーツケース４の下部に取り付けられたキャスター２の円周部２２に、キャスター受台１の保持片１２をはめて、キャスター受台１を装着したところを示す側面図である。保持片１２は、キャスター２と同じ半径の円の一部で、その先端部は少し外側に折れ曲がり、ガイド(案内片)１２１を形成する。ガイド１２１は、保持片１２をキャスター２の円周部２２にはめる際に、はめ易くするために設けたものである。保持片１２は１対あり、弾性を有する。キャスター２にはめてないときは、内側に寄った形になっていて、その下の板状の接床板１１に取り付けられている。
【００５４】
接床板１１は、キャスター２と床面との間に介在し、畳、カーペット、板の間等の床面に接し、キャスター２と床面とを遮り、キャスター２に付着した汚れが床面に付くのを防止するものである。
【００５５】
上記のように、保持片１２は１対で構成され、キャスター２に装着した際に、キャスター２を挟み付けるように、キャスター２に沿った湾曲した状態で、先端は内側に狭くなっている。保持片１２は弾性があり、この弾性によりキャスター２を保持する。保持片１２は、接床板１１をキャスター２の円周部２２に取り付けるものであるから、保持片１２の先端は、キャスター２の上半分に位置していなければならない。
【００５６】
キャスター２は、フォーク３に両側を挟まれた状態で、車軸２１により回動自在に装着されている。フォーク３は、断面形状が細長いコの字形で、側面形状はやや湾曲したものが多いが、各社いろいろな形状をしている。フォーク３は、断面形状の短い中央部で、スーツケース４の底部に回動自在に装着されている。相向き合った部分の間の先端部にキャスター２が入り、車軸２１により回動自在に結合している。
【００５７】
（Ａ）に示すキャスター受台１を使用するときは、スーツケース４を持ちあげ、キャスター２を浮かせた状態で、その下にキャスター受台１を置き、キャスター２が両方のガイド１２１の間に入るように、キャスター２を下げて、キャスター受台１をキャスター２に装着する。又は、スーツケース４を例えば玄関の上がりかまちに横にして置くと、キャスター２は４つ共床面から離れた状態になるので、キャスター２に保持片１２を上記の要領ではめて、キャスター受台１を装着する。
【００５８】
キャスター２の下にキャスター受台１が装着されると、接床板１１があるため、キャスター２は直接床面に接触することなく、畳等の床面は汚れない。又，畳、カーペット等柔らかい床面の場合、長期間放置しても、接床板１１の面積のため、キャスター２の跡が付くのを防止する。
【００５９】
スーツケース4を持ち上げても、キャスター受台１は、保持片１２の弾性によりキャスター２に装着されているので、落下しない。キャスター受台１は軽いので、保持片１２の弾性は強くなくてもよい。
【００６０】
キャスター受台１を装着した状態で、スーツケース4を室内に保管する。スーツケース４を屋外で使用するときは、キャスター受台１を押さえて、スーツケース４を持ち上げて、キャスター受台１を外す。又は、装着するときと同様、スーツケース４を横にして、キャスター２を浮かせた状態にして外してもよい。
【００６１】
（Ａ）に示すキャスター受台１は、着脱が容易で、キャスター２に付着した路面等の汚れが室内を汚さない外に、キャスター２の跡を付けないという効果がある。
【００６２】
図１の（Ｂ）に示すものは、保持片１２の先端部の高さ即ち、ガイド１２１の高さが不同のものである。フォーク３は斜めに付いているので、フォーク３の下側にガイド１２１を入れにくい場合に備えて、一方のガイド１２１を低くし、他方のガイド１２１を高くしたものを示す側面図である。その他は、（Ａ）のものと同様である。
【００６３】
（Ｃ）に示すものは、キャスター受台１の収納ケース内での収納状態を示すものである。接床板１１の幅は、キャスター２の厚さよりも少し広い位で狭いので、このように保持片１２を互い違いにかみ合わせて、収納ケースに入れると、場所を取らない。収納ケースの厚さも薄くてよい。
【００６４】
キャスター受台１の材質は、金属でもプラスチックでもよいが、通常コスト、加工性の面でプラスチックを使用する。プラスチックでも弾性は、十分ある。
【００６５】
実施例１のキャスター受台１は、キャスター２に付着した路面等の汚れが室内の床面に付くのを防止する外に、畳、カーペットのような柔らかく、キャスター２が押えた跡が付き易い床面でも、キャスター２の跡が付かない、着脱が容易という効果がある。
【実施例２】
【００６６】
実施例２のキャスター受台１を図2に基づいて説明する。実施例２のキャスター受台１は、キャスター２の両サイド(側面)を挟んで装着するタイプのものである。図2の（Ａ）〜（Ｃ）はキャスター２の下部の両サイドを横方向に挟み付けるもの、（Ｄ）〜（Ｇ）は同じくキャスター２の下部の両サイドを下方から挟み付けるもの、（Ｈ）〜（Ｋ）は車軸２１を挟んで縦方向に挟み付けるもの、（Ｌ）は車軸２１を挟んで水平方向に挟み付けるものである。
【００６７】
図2の（Ａ）は、キャスター２の下部両サイドを挟み付けて、装着するキャスター受台１を示す斜視図である。スーツケース４の下部に取り付けられたフォーク３は、実施例１のものと同じものである。
【００６８】
キャスター２の下部を挟む保持部分は、平面形状Ｈ字形の平行する２本のもので、短い方が押え片１３で、長い方が保持片１２である。平行する２本をつなぐ部分が連結片１４で、この連結片１４の弾性により、保持片１２がキャスター２の下部を挟む力を得ている。
【００６９】
連結片１４の下部に板状の接床板１１を設ける。連結片１４の下部の全面を接床板１１に結合すると、連結片１４がバネとして働き難くなるので、中央部の一部で結合片１５により結合する。バネの強さは、連結片１４の材質、幅、高さによるので、試行錯誤法で適当な強さを選ぶ。
【００７０】
押え片１３は、短い方が特に保管時に邪魔にならなくてよい。短すぎると、保持片１２を開くのに、大きな力が要るので、試行錯誤法で適宜決める。キャスター受台１は軽いので、キャスター２を挟む力は小さくてもよい。スーツケース４を持ち上げた際に、又はスーツケース４を横にして開いた際に、キャスター受台１が落下しなければよい。キャスター２に装着し、室内にスーツケース４を置いている際は、上から押し付ける力が働くので、キャスター２を挟む力は弱くてよい。材質は、金属でもプラスチックでもよいが、通常コスト面、加工性でプラスチックを使用する。プラスチックでも弾性は十分あるが、もし足らなければ、金属のバネを使用してもよい。
【００７１】
使用方法は、実施例１のものと同様にして、キャスター２を浮かせ、押え片１３を左右から押さえて、保持片１２を広げて洗濯ばさみのように、キャスター２の下部を挟んで放し、又はスーツケース４を横に倒して、キャスター受台１を装着する。キャスター２の４輪共に装着した状態で、スーツケース４を室内に立てて置き、使用する。屋外でスーツケース４を使用するときは、実施例１と同様にして、キャスター受台１を順次外す。
【００７２】
（Ａ）に示すものの効果は、キャスター２に付着た路面等の汚れが室内の床面に付着するのを防止し、畳等柔らかい床面でもキャスター２の跡が付くのを防止する外に、キャスター受台１の形状で厚さが小さく、かさばらず、不使用時収納に好都合であり、着脱が容易であることである。
【００７３】
（Ｂ）は、（Ａ）の側面図で、スーツケース４の下部の一部も示している。保持片１２や押え片１３の大きさや高さは、図面通りでなくても、変えてもよい。接床板１１の大きさも変えてよい。
【００７４】
（Ｃ）は、（Ａ）に示すものの一部を変えたものの平面図で、キャスター２の厚さの変動に対応して、保持片１２が常に平行を保つように、キャスター２に接する保持片１２の中央部と挟み付ける保持片１２の先端部とをヒンジ１２２で結合したものである。キャスター２の厚さの変動により、挟み付ける長い保持片１２が平行でなくても、ヒンジ１２２の働きにより、キャスター２に接する短い保持片１２は平行になる。キャスター２に接する短い保持片１２の内側には、滑り止めの凹凸や小さな突起を設けてもよい。
【００７５】
（Ｄ）は、同じくキャスター２の両側面下部を挟むものであるが、（Ａ）〜（Ｃ）と異なり、キャスター２の下部を下方から押し付けることにより、保持片１２を広げて挟むタイプのもので、正面図である。キャスター受台１は、板状の接床板１１の上面に１対の湾曲した保持片１２があり、この保持片１２がキャスター２の下部を下から挟んで保持する。保持片１２の湾曲した凸状部には、摩擦を増すため、筋状の凹凸や小突起を設けてもよい。キャスター受台１は軽いので、摩擦力は強くなくてもよい。使い方は、実施例１のものと同様である。
【００７６】
（Ｅ）は、（Ｄ）の側面図である。
【００７７】
（Ｆ）は、（Ｄ）の保持片１２を滑らかな湾曲状から、キャスター２の側面に接触する部分の接触面積を増やすため、平らに変更したものの正面図である。（Ｄ）と同様に、保持片１２のキャスター２の側面接触部分に、摩擦を増すため、筋状の凹凸や小突起を設けてもよい。（Ｄ）と同様、キャスター受台１は軽いので、摩擦力は強くなくてもよい。使い方は、実施例１のものと同様である。
【００７８】
（Ｇ）は、（Ｆ）の側面図である。
【００７９】
なお、（Ｄ）〜（Ｇ）のものは、後記実施例３のタイヤ部付のキャスター２にも適用できる。
【００８０】
次に、（Ｈ）〜（Ｋ）に示すものは、キャスター２とフォーク３との間に、１対の板状の保持片１２を挿入して、キャスター受台１をキャスター２に装着するものである。１対の板状の保持片１２がキャスター２の両側面を挟むことにより、キャスター受台１をキャスター２に装着する。１対の板状の保持片１２の間隔は、キャスター２の厚さよりも広く、上に行くほど狭くして先端はガイドとして互いに外側へ少し折り曲げておく。キャスター２の厚さよりも広くして置くのは、キャスター２の厚さの変動対応策である。板状の保持片１２の弾性により、挟む力を得ている。（Ｈ）は正面図、（Ｉ）〜（Ｋ）は側面図である。
【００８１】
（Ｉ）、（Ｊ）、（Ｋ）は、キャスター保持片１２の形状を示す側面図である。（Ｉ）のものは、車軸２１を入れるＵ字形の凹部１２４の上端がそれぞれ内向きに山形になっており、車軸２１が出入りするときは、少し変形して広がる。（Ｊ）のものは、車軸２１を入れるＵ字形の凹部１２４が深いものであり、（Ｋ）のものは、車軸２１を入れるＵ字形の凹部１２４の代わりに、車軸２１が入る間隔を開けた、２本の細長い板状物の保持片１２としたものである。いずれもその目的は、キャスター受台１の水平位置を車軸に対して固定するものである。垂直方向の位置は、キャスター２の直径による。但し、キャスター受台１の垂直方向の位置は、接床板１１が床面に密着しているので、キャスター２の直径は関係ない。
【００８２】
（Ｈ）〜（Ｋ）に示すものの使用方法は、実施例１のものと同様である。
【００８３】
（Ｌ）に示すものは、（Ｈ）〜（Ｋ）に示すものの１対の板状の保持片１２がフォーク３の後方から水平方向に挿入するものである。保持片１２の先端は、（Ｉ）のものと同じであのが、（Ｊ）、（Ｋ）のものと同じでもよい。その他は、（Ｊ）、（Ｋ）のものと同じである。又、保持片１２は、フォーク３の前方から挿入してもよい。
【００８４】
実施例２のものの効果は、実施例１のものの効果と同じである。
【実施例３】
【００８５】
実施例３のキャスター受台１を図3に基づいて説明する。実施例３のキャスター受台１は、タイヤ部付キャスター２のタイヤ部２３をつかむタイプのものである。更に、接床板１１を板状から箱状に変更している。図3の（Ａ）は、タイヤ部付キャスター２のタイヤ部２３に、キャスター受台１を装着したところを示す側面図である。（Ｂ）は、（Ａ）のＸ―Ｘ線断面図である。
【００８６】
市販のスーツケース４に付いた、キャスター２の中には、タイヤ部２３を有するものがある。円板状のキャスター２の両側面の中央部が窪み、あたかも自動車のタイヤのように、周辺部が太くなったものがある。この太くなった部分をタイヤ部２３とする。
【００８７】
キャスター受台１の構造は、箱状の接床板１１の中央部に、キャスター２の厚みよりも長い間隔で、１対の保持片１２を立てる。保持片１２は、上に行くにつれて狭くなり、先端近くにそれぞれ内側に向かって、Ｖ字形の押え部１２３を付けている。押え部１２３の形状は、Ｖ字形に限らず、Ｕ字形でもコの字形でもよい。押え部１２３は、タイヤ部２３の内側の凹部即ち、キャスター２の両側面中央部の窪みを押さえることにより、キャスター受台１をキャスター２に装着する。Ｖ字形、Ｕ字形、コの字形の先端部は、ガイドの役をする。
【００８８】
保持片１２がタイヤ部２３を挟む力は、小さくてもよい。キャスター受台１は、軽いので、スーツケース４を持ち上げた際、又は横に倒した際に、キャスター受台１が落下しなければよい。挟む力は、試行錯誤法で適宜決める。キャスター２に装着して室内に置いている際は、上から押し付ける力が働くだけであるから、キャスター２を挟む力は関係ない。材質は、金属でもプラスチックでもよいが、通常コスト面、加工性でプラスチックを使用する。
【００８９】
接床板１１を板状から側壁１１１を備えた箱状に変更したのは、接床板１１の上に落下した、キャスターに付着した路面等の土砂を含む汚れが、接床板１１からこぼれ落ちるのを防止するためである。
【００９０】
使用方法は、実施例１のものと同様である。キャスター２の下にキャスター受台１の押え部１２３を置き、キャスター２を下ろすと、タイヤ部２３により押え部１２３が広がり、その中にタイヤ部２３が入り、装着される。又は、スーツケース４を横に倒して、キャスター２を浮かせて装着する。キャスター受台１を外すときは、キャスター受台１の接床板１１を押さえて、スーツケース４を持ち上げると、キャスター２のタイヤ部２３が上に上がり、キャスター保持片１２の押え部１２３が広がって、キャスター受台１が外れる。又は、スーツケース４を横に倒して、キャスター受台１を外す。
【００９１】
実施例３のキャスター受台１の効果は、キャスター２に付着した汚れが室内の床面に付着するのを防止する外に、接床板１１が箱状のために落下した路面等の汚れがこぼれ難い、柔らかい床面にもキャスター２の跡を付けない、着脱が容易であることである。
【実施例４】
【００９２】
実施例４のキャスター受台を図4に基づいて説明する。実施例４はキャスター２の車軸２１をつかむタイプのものである。図4の（Ａ）は、キャスター２の車軸２１が、キャスター受台１の保持片１２の押え部１２３の中に入ったところを示す側面図である。キャスター２の車軸２１がキャスター受台１の保持片１２の上端部のガイド１２１に当たると、上端部はＶ字形に上部が広くなっているので、上端部は車軸２１に押されて広がり、車軸２１は押え部１２３の中に入り、保持される。（Ｂ）は、保持片１２の上部を示す側面図である。
【００９３】
実施例２の図２の（Ｈ）、（Ｉ）に示すものと類似しているが、実施例２のものは、保持片１２がキャスター２の両サイド(側面)を挟んで装着するタイプものであるのに対し、実施例４のものは上記のように、キャスター保持片１２が車軸２１をつかむものである。
【００９４】
使用方法は、実施例１のものと同様である。
【００９５】
実施例４のキャスター受台１の効果は、キャスター２に付着した路面等の汚れが室内の床面に付くのを防止する外に、柔らかい床面にもキャスター２の跡を付けない、着脱が容易であることである。
【実施例５】
【００９６】
実施例５のキャスター受台１を図５に基づいて説明する。実施例５のキャスター受台１は、挟付片１２Ｆがフォーク３の外側を挟み付けて装着するタイプのものである。図５の（Ａ）は、キャスター２の車軸２１をはめたフォーク３の両外側を挟付片１２Ｆが挟み付けて装着したところを示す正面図である。
【００９７】
（Ｂ）はキャスター受台１をフォーク３から外したところを示す斜視図で、接床板１１の両側に、互いに内側に寄った状態で、斜めに上向きに挟付片１２Ｆが付いている。挟付片１２Ｆの内側には、滑り止めの凹凸や突起を設けてもよい。挟付片１２Ｆの先端部には、フォーク３が入り易いように、斜めに広げたガイドを設けてもよい。挟付片１２Ｆは弾性があり、フォーク３が挿入されると広がって、フォーク３を挟み付けて保持する。挟み付ける強さは、材質の弾性の強さ、挟付片１２Ｆの幅、厚さ、長さによるので、試行錯誤法で適宜決める。
【００９８】
使用方法は、実施例１のものと同様である。
【００９９】
次に（Ｃ）、（Ｄ）に示すものは、フォーク３の両側面を下からではなく、前方又は後方の水平方向から挟付片１２Ｆをはめるものである。前方、後方は、スーツケース４を移動させた時、進行方向に向かう方が前方、その逆が後方である。（Ｃ）は、フォーク３に後方から挟付片１２Ｆをはめて装着したキャスター受台１を示す側面図である。平面形状コの字形(装着時)の挟付片１２Ｆ下方に、結合片１５を介して、接床板１１を設ける。結合片１５は、板状物である。逆に、前方から挟付片１２Ｆをはめて装着してもよい。
【０１００】
（Ｄ）は、フォーク３から外したキャスター受台１の斜視図である。挟付片１２Ｆは、フォーク３をはめてないので、内側に互いに寄った形状になっている。フォーク３に装着すると、挟付片１２Ｆの弾性に逆らって広がり、コの字形になる。挟付片１２Ｆの弾性が、フォーク３を保持する力である。挟付片１２Ｆの内側に滑り止めの凹凸、突起やガイドを設けてもよいのは、（Ａ）、（Ｂ）と同様である。
【０１０１】
使い方は、実施例１と同様に、スーツケース４を少し持ち上げて、キャスター２と床面との間に接床板１１を挿入するように、挟付片１２Ｆの先端を広げてフォーク３にはめるか、スーツケース４を横に倒して、フォーク３に装着する。外すときは、逆にしてキャスター受台１を抜く。なお、フォーク３の外側を挟み付けて装着するタイプのものは、図５の（Ａ）、（Ｂ）のように、フォーク３の左右から挟み付けるものの外に、前後を追加して、前後左右から４片の挟付片１２Fで、フォーク３の外側を挟み付けるものでもよい。即ち、長方形又は小判形(陸上競技のトラック形)の筒型の四隅に切込み（スリット）を入れた形のものである。但し、外した時にかさばるので、収納場所を取る問題はある。
【０１０２】
実施例５のキャスター受台１の効果は、キャスター２に付着した路面等の汚れが室内の床面に付くのを防止する外に、柔らかい床面にもキャスター２の跡を付けない、着脱が容易であることである。
【実施例６】
【０１０３】
実施例６のキャスター受台１を図６に基づいて説明する。実施例６のキャスター受台１もフォーク３に装着するものであるが、フォーク３の内側に保持片１２をはめて、外側に広がる力で装着するものである。保持片１２は、下方又は側方から挿入する。図６の（Ａ）は、キャスター受台１をキャスター２の車軸２１の下方からはめて、フォーク３の内側を保持片１２が外方に広げる力で装着したところを示す斜視図である。
【０１０４】
（Ｂ）は、（Ａ）の正面図、即ち、キャスター２の車軸２１の下方からはめてフォーク３の内側を、保持片１２が広げる力で装着したところを示す正面図である。
【０１０５】
（Ｃ）は、フォーク３から外したキャスター受台１を示す斜視図である。接床板１１の両脇から保持片１２が上方に出ているが、フォーク３の内側にはめていないので、外側に広がった状態になっている。保持片１２の外側には、滑り止めの凹凸、突起や先端に挿入し易いように、ガイドを設けてもよい。車軸２１が入る凹部１２４を設ける。
【０１０６】
使い方は、実施例１のものと同様である。
【０１０７】
（Ｄ）は、フォーク３の内側に、後方から保持片１２を入れ、外方へ広げる力で装着したところを示す側面図である。キャスター２の車軸２１が入る細長い凹部１２４を保持片１２に設けている。保持片１２を連結する連結片１４と接床板１１とを板状の結合片１５で結合している。
【０１０８】
（Ｅ）は、キャスター受台１を連結片１４側から見たところを示す斜視図である。
【０１０９】
使い方は、（Ａ）、（Ｂ）、（Ｃ）のものは
、実施例１のものと同様である。
【０１１０】
（Ｄ）、（Ｅ）のものは、
スーツケース４を少し持ち上げて、キャスター２と床面との間に接床板１１を挿入するように、保持片１２の先端を狭めて、フォーク３の内側に後方からはめる。保持片１２の細長い凹部１２４に車軸２１が入るようにする。外すときは、スーツケース４を少し持ち上げて、保持片１２を持って後方に引いて、フォーク３からキャスター受台１を抜く。又は、実施例１のものと同様、スーツケース４を横にして、キャスター２を浮かせた状態にして、着脱する。
【０１１１】
実施例６のキャスター受台は、着脱が容易で、路面等の汚れが付着したキャスター２の汚れが室内の床面に付くのを防止し、畳等柔らかい床面の場合にキャスターの跡を付けない、着脱が容易という効果がある。
【実施例７】
【０１１２】
実施例７のキャスター受台１を図７に基づいて説明する。実施例７のキャスター受台１は、フォーク３の片側を１対の保持片１２が挟み付けて装着するものである。（Ａ）は、フォーク３の片側をキャスター受台１の１対の保持片１２が挟み付けて装着した所を示す正面図である。
【０１１３】
（Ｂ）は、フォーク３から外したキャスター受台１を示す正面図である。接床板１１の片方に寄ったところに、１対の保持片１２が上向きに付いている。内側に寄った１本は、平板状のもので、キャスター２とフォーク３との間に挿入するものであり、車軸２１を避けるため、図２の（Ｊ）のように中央上部は、U字形に欠けている。外側のものは、伸ばしたＳ字状に湾曲しており、フォーク３の外側を押さえ易くしている。先端は外側に曲がりガイド１２１となっている。
【０１１４】
使い方は、スーツケース４を少し持ち上げるか、横に倒して、キャスター２を浮かした状態にして、フォーク３の片方に１対の保持片１２をはめて装着する。外すときは、逆でキャスター受台１を引き抜く。
【０１１５】
実施例７のキャスター受台は、着脱が容易で、路面等の汚れが付着したキャスター２の汚れが室内の床面に付くのを防止し、畳等柔らかい床面の場合にキャスターの跡を付けない、着脱が容易という効果がある。
【実施例８】
【０１１６】
実施例８のキャスター受台１を図８に基づいて説明する。実施例８のキャスター受台１は、フォーク３とキャスター２との間に、１対の保持片１２を挿入して装着するタイプのものである。１対の保持片１２は、中央部が外側に湾曲しており、両先端部は狭くなっている。保持片１２が保持する力は、保持片１２の弾性によりキャスター２とフォーク３とを押し付ける力による。キャスター２の車軸２１を避けるため、保持片１２の中央上部は、図２の（Ｊ）のように、U字形に欠けている。（Ａ）は、フォーク３とキャスター２との間に、１対の保持片１２を挿入して装着した所を示す正面図である。
【０１１７】
（Ｂ）は、フォーク３とキャスター２との間から外したキャスター受台１を示す正面図である。接床板１１の片方に寄ったところに、１対の保持片１２が上向きに付いている。保持片１２は、中間部が互いに外側に湾曲し、膨らんだ形になっている。保持片１２には、弾性があるが、キャスター受台は軽いので、金属でなくてもプラスチックでもよい。
【０１１８】
（Ｃ）は、フォーク３とキャスター２との間に、フォーク３の後方から、１対の保持片１２を挿入して装着した所を示す側面図である。キャスター２の車軸２１を避けるため、保持片１２の中央先端部は、図２の（Ｊ）のように、U字形に欠けて細長い凹部１２４を形成している。水平方向の保持片１２を連絡する連絡片１４と板状の接床板１１とは、板状の結合片１５により結合している。
【０１１９】
（Ｄ）は、フォーク３とキャスター２との間に、フォーク３の前方から、１対の保持片１２を挿入して装着した所を示す側面図である。キャスター２の車軸２１を避けるため、保持片１２の中央先端部は、図２の（Ｊ）のように、U字形に欠けて細長い凹部１２４を形成している。水平方向の保持片１２を連絡する連絡片１４と板状の接床板１１とは、板状の結合片１５により結合している。挿入の方向以外は、（Ｃ）のものと同じである。
【０１２０】
使い方は、実施例７のものと同様である。
【０１２１】
実施例８のキャスター受台は、着脱が容易で、路面等の汚れが付着したキャスター２の汚れが室内の床面に付くのを防止し、畳等柔らかい床面の場合にキャスターの跡を付けない効果がある。
【実施例９】
【０１２２】
実施例９のキャスター受台１を図９に基づいて説明する。実施例９のキャスター受台１は、袋体１６の底部１６１に接床板１１を取り付けたものである。（Ａ）のものは、上部の開口部１６２に、ワンタッチで開閉する口閉具１７（小銭入れの口に付いている、断面が湾曲した細長い鋼材を２枚、手の平を合わせるように、両方が凸になるように合わせて、両端を可動状態で付けたもので、「バネ口がね」の名称で手芸店で売られている。）を取り付けた斜視図である。接床板１１は、袋体１６の内側に取り付けている。内側にあるため、接床板１１が外れることはない。袋体１６は、布帛、ビニールレザー、合成皮革等のような柔軟性のあるシート材で作る。
【０１２３】
使い方は、スーツケース４を横に寝かせて、キャスター２を４つ共浮かせた状態にして、袋体１６の口閉具１７の両端を左右から押さえて、開口部１６２を開いた状態にして、キャスター２に被せて口閉具１７の両端を放すと、フォーク３に装着される。キャスター２の４つ共に装着した後、スーツケース４を立てて使用する。底部１６１の接床板１１がキャスター２の下に当たる。外すときは、逆で口閉具１７の両端を左右から押さえて、開口部１６２を開いた状態にして、袋体１６をキャスター２から外す。  
【０１２４】
（Ａ）のものは、着脱が簡単で、キャスター２に付いた路面等の汚れが、袋体のため、スーツケース４の持ち込まれた室内の床面に全く落下せず、接床部１１があるため、畳等柔らかい床面に置いても、キャスター２の跡が付かないという効果がある。
【０１２５】
（Ｂ）のものは、接床部１１が袋体１６の外側に取り付けてある。接着剤で貼り付けるが、他の方法でもよい。そのため袋体１６の耐久性が向上する。上部の開口部１６２に、開閉を簡単にするため、ループ状の紐１７１を通し、この紐１７１に口閉リング１７２をはめた口閉め具１７を取り付ける。（Ｂ）は、フォーク３に被せて、口閉具１７を閉めた状態を示す正面図である。使い方は、（Ａ）のものと同様である。開口部の開閉は、口閉リング１７２を袋体１６側に寄せれば、閉まり、反対に口閉リング１７２を袋体１６から離れた方へ移動させれば、開口部１６２は開く。（Ｂ）のものは、（Ａ）のものの効果の外に、袋体１６の耐久性がよいという効果がある。
【０１２６】
（Ｃ）のものは、筒状の柔軟性のあるシート材で作った筒体１６の下部に接床部１１を取り付け、上部の開口部１６２の外側両端に、雌雄の面ファスナー１７３を口閉め具１７として取り付けた、一部欠落正面図である。雌雄の面ファスナー１７３は、筒体１６の表裏に付ける。接床部１１の取付方法は、筒体１６の下部の内側に接床部１１を入れて、筒体１６の外側から釘、ネジで留める。接着剤で貼り付けてもよい。使い方は、（Ａ）のものと同様である。開口部１６２の開閉は、雌雄の面ファスナー１７３を離せば、開口部１６２は開き、面ファスナー１７３を付ければ、開口部１６２は閉まる。（Ｃ）のものは、（Ａ）のものの効果の外に、筒体１６の耐久性がよいという効果がある。
【０１２７】
実施例９のものは、着脱が簡単で、キャスター２に付着した路面等の土砂を含む汚れが袋体・筒体のため、全く落下せず、柔らかい床面に置いても、キャスター２の跡が付かないという効果がある。
【実施例１０】
【０１２８】
実施例１０のキャスター受台を収納するケースを図１０に基づいて説明する。（Ａ）は、キャスター受台を収納するケースを示す斜視図である。実施例１０に示すものは、キャスター受台1を収納するケース５である。キャスター受台1は便利なものであるが、スーツケース４を室内に持ち込む際等、キャスター受台1が必要になった時には、すぐに取り出す必要があり、又、反対に取り外した時には、次回必要になるまで、収納場所を憶えておかねばならず、その収納場所には気を使うものである。手近に簡単に収納できるものがあればよい。従って、キャスター受台1を４つ共収納して、スーツケース４の一部に取り付けできるものがあれば、便利である。実施１０のものは、この目的のために作ったもので、開閉式の箱である収納部５１に、２本のベルト５２を取り付け、その先に留具５２１を取り付ける。ベルト５２と留具５２１は、スーツケース４に取り付けるためのものである。収納部５１の構成は、他のものでもよく、袋体のものでもよい。収納部５１の内部に仕切りを設けてもよい。（Ｂ）は、仕切り５１１を示すもので、縦長にした「田」の字形をした正面図である。（Ｃ）は、他の仕切り５１１を示す正面図で「目」の字形をしたものである。
【０１２９】
使い方は、スーツケース４の取手等にベルト５２を通して取り付け、収納部５１にキャスター受台１を入れる。キャスター受台1が必要になれば、収納部５１からキャスター受台1を取り出して、キャスター２に取り付ける。
【０１３０】
実施例１０のキャスター受台を収納するケースは、小さなもので、スーツケース４に付けていても邪魔にならず、キャスター受台1を外した時には、スーツケース４に取り付けたケース５に入れることができ、収納場所を探したり、どこに収納したかを憶える必要がない。キャスター受台1が必要になった時には、どこに収納したかを思い出す必要がなく、又スーツケース４の中やショルダーバッグの中等に入れた場合のように、荷物をかき分けて探す必要もなく、スーツケース４に付けたケース５から、すぐに取り出せるという効果がある。実施例１のものは大きいが、図１の（Ｃ）のように組み合わせると、厚みは薄いので、４個でも小さいケースに十分入る。
【実施例１１】
【０１３１】
実施例１１の名札を兼ねたキャスター受台収納ケースを図１１に基づいて説明する。実施例１１の名札を兼ねたキャスター受台収納ケース５は、実施例１０のものに名前記入部５３を付けたものである。即ち、キャスター受台1を入れる収納部５１に、名前記入部５３を付けたものである。
【０１３２】
（Ａ）は袋体の収納部５１に名前記入部５３を付け、開口部５１３に口閉具の紐５２を設けたものの開口部５１３を閉めた状態を示す斜視図である。紐５２でスーツケース４の取手やスーツケース４を引くハンドルに取り付ける。使い方は、名前を記入し、確認する以外は、実施例１０のものと同様である。
【０１３３】
名札は、他人の荷物と区別するために、いわば必需品の様なものである。その名札とキャスター受台１を収納するケース５とを一緒にしたものであるから、非常に便利なものである。（Ａ）のもの効果は、実施１０のものの効果の外に、名札を兼ねているという効果がある。
【０１３４】
（Ｂ）のものは、箱型の収納部５１に名前記入部５３を設け、その上に、この名前記入部５３を隠す、めくり可能なカバー５４を付けたものを示す斜視図である。カバー５４があるので、旅行中等に、他人から名前を見られずに済み、必要な時はカバー５４をめくって名前を確認することができる。使い方は、カバー５４をめくって名前を確認すること以外は、（Ａ）のものと同様である。
【０１３５】
（Ｂ）のものの効果は、（Ａ）のもの効果の外に、他人に名前を見られず、必要な時には、カバー５４をめくって名前を確認できることである。
【０１３６】
実施例１１のキャスター受台を収納するケースは、実施例１０のものの効果の外に、名札を兼用しているという効果がある。
【産業上の利用可能性】
【０１３７】
本発明のキャスター受台は、キャスター付スーツケース４のキャスター２に付着した路面等の汚れが、持ち込まれた室内の床面に付くのを防止するのに適用できる。
【符号の説明】
【０１３８】
１…………キャスター受台
１１………接床板
１１１……側壁
１２………保持片
１２１……ガイド
１２２……ヒンジ
１２３……押え部
１２４……細長い凹部
１２Ｆ……挟付片
１３………押え片
１４………連結片
１５………結合片
１６………袋体、筒体
１６１……底部
１６２……開口部
１７………口閉具
１７１……紐
１７２……口閉リング
１７３……面ファスナー
２…………キャスター
２１………車軸
２２………円周部
２３………タイヤ部
３…………フォーク
４…………スーツケース
５…………ケース
５１………収納部
５１１……仕切り
５１２……収納室
５１３……開口部
５２………ベルト、紐
５２１……留具
５３………名前記入部
５４………カバー
【図１】
2014132917.tif 000003
【図２】
2014132917.tif 000004
【図３】
2014132917.tif 000005
【図４】
2014132917.tif 000006
【図５】
2014132917.tif 000007
【図６】
2014132917.tif 000008
【図７】
2014132917.tif 000009
【図８】
2014132917.tif 000010
【図９】
2014132917.tif 000011
【図１０】
2014132917.tif 000012
【図１１】
2014132917.tif 000013
【手続補正書】
【提出日】平成25年2月27日(2013.2.27)
【手続補正１】
【補正対象書類名】図面
【補正対象項目名】全図
【補正方法】変更
【補正の内容】
【図１】
2014132917.tif 000014
【図２】
2014132917.tif 000015
【図３】
2014132917.tif 000016
【図４】
2014132917.tif 000017
【図５】
2014132917.tif 000018
【図６】
2014132917.tif 000019
【図７】
2014132917.tif 000020
【図８】
2014132917.tif 000021
【図９】
2014132917.tif 000022
【図１０】
2014132917.tif 000023
【図１１】
2014132917.tif 000024